【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
長手方向接続部材と協働する少なくとも２つの骨装着構造体を有する医療インプラント組立体において、長手方向接続部材は、
ａ）軸線と、隣接する装着位置を有する第１の端部と、装着位置を有していない第２の端部とを有する内側の円筒状のコアと、
ｂ）第３の端部と第４の端部とを有する、コイル様の外側部材とを含み、
ｃ）前記コアはその実質的長さに沿って前記外側部材内に受け入れられ、前記外側部材の前記第３の端部が前記装着位置のみにて前記コアに装着され、前記第２の端部および前記第４の端部は固定されず、
ｄ）前記コアが該コアの装着位置にて前記外側部材に固定され、且つ、前記コアが骨装着構造体のいずれかに直接取り付けられない状態で、前記骨装着構造体の少なくとも１つに締結されたとき、前記外側部材は軸線に沿う方向且つ捩り方向の双方にて前記コアと摺動係合する、医療インプラント組立体。
【請求項２】
請求項１に記載の医療インプラント組立体において、
前記外側部材の第３の端部が前記内側のコアの前記第１の端部付近に、スナップ嵌め接続および圧力嵌め接続にて固定的に装着される、医療インプラント組立体。
【請求項３】
請求項１または２に記載の改良された医療インプラント組立体において、
骨装着構造体の少なくとも１つ内に配設された第一及び第二の圧縮部材を更に備え、
前記圧縮部材の各々は、外側部材と摩擦係合する寸法及び形状とされた内面を有し、
前記第一及び第二の圧縮部材は、協働して外側部材のみを骨装着構造体に締結し、内側のコアは前記外側部材に対して摺動可能なままである、医療インプラント組立体。
【請求項４】
請求項３に記載の医療インプラント組立体において、
前記第一の圧縮部材は、外側部材と接触したとき、前記長手方向接続部材に対して当接する寸法及び形状とされる、医療インプラント組立体。
【請求項５】
請求項３に記載の医療インプラント組立体において、
前記第一の圧縮部材は、該第一の圧縮部材と前記第二の圧縮部材との間に前記外側部材を捕捉するように、前記外側部材と接触したとき、前記第二の圧縮部材と摺動可能に協働する寸法及び形状とされる、医療インプラント組立体。
【請求項６】
請求項３〜５のいずれか１項に記載の医療インプラント組立体において、
ａ）前記第一の圧縮部材は下側圧縮部材であり、前記第二の圧縮部材は上側圧縮部材であり、
ｂ）各骨装着構造体内の長手方向接続部材受入れ通路を閉鎖して、前記上側圧縮部材、前記長手方向接続部材、および前記下側圧縮部材に対して下向きの圧力をかける閉鎖構造体を更に有す、る医療インプラント組立体。
【請求項７】
請求項６に記載の医療インプラント組立体において、
前記閉鎖構造体は、外側固定部と、該外側固定部に螺合して受け入れられる内側止めねじを有し、前記内側止めねじは、前記上側圧縮部材に対して独立して付勢し、前記外側固定部は、前記下側圧縮部材に対して独立して付勢する、医療インプラント組立体。
【請求項８】
請求項７に記載の医療インプラント組立体において、
前記下側圧縮部材は前記外側固定部と係合するうえ向きの腕部を有する、医療インプラント組立体。
【請求項９】
請求項８に記載の医療インプラント組立体において、
前記上側圧縮部材は前記下側圧縮部材の前記腕部の間に上下方向に摺動するように受け入れられる、医療インプラント組立体。
【請求項１０】
請求項７に記載の医療インプラント組立体において、
前記上側圧縮部材に対する前記止めねじの回転および全身を許容する構造によって前記上側圧縮部材と前記止めねじが接続される、医療インプラント組立体。
【請求項１１】
請求項１〜１０のいずれか１項記載の医療インプラント組立体において、
前記長手方向接続部材は第一の長手方向接続部材であり、
ａ）前記医療インプラント組立体は、さらに、前記第一の長手方向接続部材に固定される第二の長手方向接続部材を有し、該第二の長手方向接続部材は前記軸線に沿って且つ前記外側部材から離れて延び、該第二の長手方向接続部材は前記骨装着構造体の少なくとも一つの中に受け入れ可能である、医療インプラント組立体。
【請求項１２】
請求項１〜１１のいずれか１項記載の医療インプラント組立体において、
ａ）前記コアは、前記外側部材にのみ装着され、
ｂ）前記外側部材は、前記骨装着構造体のいずれかの部位に装着可能であり、これにより前記コアは、前記外側部材を装着可能な骨装着部材のそれぞれに対して前記軸線方向に且つ捩り方向に自由に移動でき、前記外側部材は前記骨装着部材に装着可能であり、そこであっても前記外側部材はコイルの形態である、医療インプラント組立体。
【請求項１３】
請求項１〜１２のいずれか１項に記載の医療インプラント組立体において、
前記外側部材は円筒形状であり、螺旋状スリットを有する、医療インプラント組立体。
【請求項１４】
請求項６記載の医療インプラント組立体において、
前記閉鎖構造体は、位置決めの間は前記上側圧縮部材に対して圧力をかけないで、前記下側圧縮部材に対して下向きに圧力をかけるように選択的に作動可能である、医療インプラント組立体。
【請求項１５】
請求項１〜１４のいずれか１項記載の医療インプラント組立体において、
ａ）前記コアは、前記第１の端部付近から前記第２の端部付近に延びる螺旋状に巻かれたねじを有し、
ｂ）前記外側部材は、前記第３の端部付近から前記第４付近に延びる螺旋状に巻かれたスリットを有し、前記スリットは、その中に前記ねじを摺動するように受け入れることができる寸法及び形状にされている、医療インプラント組立体。
【請求項１６】
請求項１５記載の医療インプラント組立体において、
前記ねじは四角形ねじである、医療インプラント組立体。
【請求項１７】
請求項１５または１６に記載の医療インプラント組立体において、
ａ）前記ねじは、前記第１の端部の近くに配置された第１のねじ部および残りのねじ部を有し、
ｂ）前記第１のねじ部は、前記残りのねじ部より厚い、医療インプラント組立体。
【請求項１８】
請求項１７記載の医療インプラント組立体において、
ａ）前記第１のねじ部は、前記外側部材の外面と面一である、医療インプラント組立体。
【請求項１９】
請求項１５〜１８のいずれか１項に記載の医療インプラント組立体において、
ａ）前記ねじは一対の対向する側部を有し、
ｂ）前記スリットは一対の対向する壁を有し、前記壁のそれぞれが前記側部の一方に隣接し、
ｃ）前記ねじの前記第１のねじ部の前記側部が前記隣接する壁に当接する、医療インプラント組立体。
【請求項２０】
請求項１９に記載の医療インプラント組立体において、
前記ねじの前記残りのねじ部が前記壁から間隔をあけられている、医療インプラント組立体。
【請求項２１】
請求項１〜２０のいずれか１項に記載の医療インプラント組立体において、
前記少なくとも２つの骨装着構造体の少なくとも一つが、
ａ）外側リング及び該外側リングにねじ係合して受け入れられる内側リングを有する閉鎖構造体を有し；
ｂ）前記内側リングは、穴及びピンの一方を有し；
ｃ）前記骨ねじが完全に組み込まれたときに前記接続部材の上方に作動可能に配置される上側圧縮インサートと、受け部のアームの間の通路を閉じる閉鎖構造体とを有し：前記上側圧縮インサートは、前記接続部材を受け入れ且つ前記接続部材に係合するような形状にされている下面と、第１の穴及び突出するピンとを有し；前記閉鎖構造体は、外側のリング及び該外側のリングにねじ係合して受け入れられる内側のリングを有し、前記閉鎖構造体の前記内側のリングは、第２の穴及び突出するピンを有し；前記穴は、前記閉鎖構造体が受け部に受け入れられ前記上側圧縮インサートに向かって前進されたときに前記ピンを摺動するように受け入れる寸法及び形状とされており；前記閉鎖構造体は、前記上側圧縮インサートと係合して下方へ押圧し、前記接触部材と摩擦係合する、医療インプラント組立体。
【請求項２２】
少なくとも３つの骨装着構造体と、長手方向接続部材とを含む医療インプラント組立体において、
ａ）長手方向軸線と、円筒形の内側コアと、コイル様の外側部材とを有する長手方向接続部材の可撓性の第一の部分と、
ｂ）前記内側コアと一体的であり且つ、前記軸線に沿って前記外側コイル様部材から離れる方向に向けて伸びる長手方向接続部材の第二の部分とを備える、医療インプラント組立体。
【請求項２３】
請求項２２に記載の医療インプラント組立体において、
ａ）前記コアは第一の端部を有し、
ｂ）前記コイル様の外側部材は、実質的に円筒状の内面と、実質的に円筒状の外面と、第二の端部とを有し、外側部材は、第二の端部付近にてのみ前記円筒状のコアの第一の端部に装着可能であり、外側部材は、前記内面及び前記外面を貫通して伸びると共に前記外側部材の実質的な長さに沿って伸びる螺旋状のスリットを更に画成し、前記円筒状のコアは、前記内面に隣接して前記外側部材内に受け入れ可能であり且つ前記外側部材の実質的な長さに沿って伸び、前記外側部材は、前記第一の端部が前記第二の端部に対して固定され且つ前記外面が前記骨装着構造体の少なくとも１つに装着されたとき、前記軸線に沿った方向に向け且つ捩り可能に前記円筒状のコアと摺動可能に係合する、医療インプラント組立体。
【請求項２４】
請求項２２または２３に記載の医療インプラント組立体において、
前記第二の部分は中実なロッドである、医療インプラント組立体。
【請求項２５】
請求項２２〜２４のいずれか１項に記載の医療インプラント組立体において、
前記コアは弾性的に引っ張り可能で且つ圧縮可能である、医療インプラント組立体。
【請求項２６】
少なくとも２つの骨装着構造体を含む医療インプラント組立体において、該医療インプラント組立体は、
ａ）長手方向接続部材であって、
ｉ）軸線と、ねじ部と、第一の端部とを有する円筒状のコアと、
ｉｉ）第二の端部を有する外側のコイル様の部材であって、前記第二の端部付近にてのみ前記円筒状のコアに固定され、前記円筒状のコア及び前記ねじ部はその実質的な長さに沿って前記コイル様の部材内に受け入れ可能であり、前記ねじ部の少なくとも実質的な部分は、前記コイル様の部材から隔てられ、前記コイル様の部材は、前記第一の端部が前記第二の端部に対して固定されたとき、前記軸線に沿った方向且つ捩り方向の双方にて前記コアと摺動可能に係合するようにした、前記長手方向接続部材と
を備える、改良された医療インプラント組立体。
【請求項２７】
請求項２６に記載の医療インプラント組立体において、
ａ）前記骨装着構造体の各々に配設された第一及び第二の圧縮部材を更に備え、前記圧縮部材の各々は、前記外側のコイル様の部材と摩擦係合する寸法及び形状とされた内面を有し、前記第一及び第二の圧縮部材は、協働して前記外側のコイル様の部材のみを前記骨装着構造体に締結し、前記円筒状のコア及び前記ねじ部は、前記外側のコイル様の部材に対して摺動可能なままである、医療インプラント組立体。
【請求項２８】
請求項２６または２７に記載の医療インプラント組立体において、
前記第一の端部は、前記コアの一部分と前記コイル様の部材との間の圧力嵌め係合及び前記ねじ部の一部分と前記コイル様の部材との間の圧力嵌めの少なくとも一方により前記第二の端部の付近にて固定状態に装着される、医療インプラント組立体。
【請求項２９】
請求項１〜２８のいずれか１項に記載の医療インプラント組立体において、
前記コアは弾性的に引っ張り可能で且つ圧縮可能である、医療インプラント組立体。
【請求項３０】
少なくとも２つの骨装着構造体と長手方向の接続部材とを含む医療インプラント組立体の接続部材であって、
ａ）細長いコアと、
ｂ）前記コアに対して固定状態に装着される、第一の螺旋状突起を有する第一の支持構造体と、
ｃ）内側通路と、外面と、螺旋状のスリットとを有する細長の外側の可撓性部材であって、前記スリットは部材の長さに沿って且つ外面を通って前記内側通路から伸び、前記コアは前記通路内に受け入れ可能であり、前記第一の螺旋状突起は前記スリット内に摺動可能に受け入れることができ且つ前記スリットを貫通して伸びることができるようにした、前記細長の外側の可撓性部材と、
ｄ）第二の螺旋状突起を有する少なくとも１つの第二の支持構造体であって、前記コアに対して摺動可能であり、前記第二の螺旋状突起は前記スリット内にて摺動可能に受け入れ可能であり且つ該スリットを貫通して伸びることができるようにした前記少なくとも１つの第二の支持構造体と
を更に備える、接続部材。
【請求項３１】
請求項３０に記載の接続部材において、
前記接続部材の前記コアは一端と中間部分とを有し、前記第一の支持構造体は前記一端に配置される、接続部材。
【請求項３２】
請求項３０に記載の接続部材において、
前記接続部材の前記コアは一端と中間部分とを有し、前記第一の支持構造体は前記中間部分に配置される、接続部材。
【請求項３３】
請求項３０に記載の接続部材において、
前記接続部材の前記コアは第一の材料にて出来ており、前記第一の可撓性部材は第二の材料から出来ている、接続部材。
【請求項３４】
請求項３３に記載の接続部材において、
前記可撓性部材は実質的に金属にて出来ており、前記コアは実質的にプラスチックである、接続部材。
【請求項３５】
請求項３０〜３４のいずれか１項に記載の接続部材において、前記骨装着構造体の各々は、長手方向接続部材及び軸部を受け入れる開放した受け部を有し、前記軸部は、ａ）表面の粗面化処理及びｂ）被覆の少なくとも一方により変化されて前記骨装着構造体と椎骨との間に生物活性化境界面を提供する面を有する、接続部材。
【請求項３６】
請求項３５に記載の接続部材において、前記骨装着構造体の各々は、長手方向接続部材及びカニューレ状軸部を受け入れる開放した受け部を有する、接続部材。
【請求項３７】
長手方向の接続部材と協働する少なくとも２つの骨装着構造体を有する医療インプラント組立体の前記長手方向の接続部材であって、
ａ）軸線と、別個の装着位置とを有する内側の円筒状のコアと、
ｂ）前記装着位置にて前記円筒状のコアに装着可能な外側のコイル様の部材であって、前記円筒状のコアをその実質的長さに沿って前記コイル様の部材内に受け入れることができ、前記コアが該コアの前記装着位置にて前記コイル様の部材に固定されたとき、軸線に沿った方向に且つ捩り可能の双方にて前記円筒状のコアと摺動係合する、外側のコイル様の部材と
を備え、
ｃ）前記外側のコイル様の部材は、前記骨装着位置の少なくとも一つに締結される、医療インプラント組立体。
【請求項３８】
長手方向の接続部材と協働する少なくとも２つの骨装着構造体を有する医療インプラント組立体の前記長手方向の接続部材であって、
ａ）軸線と、別個の装着位置とを有する内側の円筒状のコアと、
ｂ）前記装着位置にて前記円筒状のコアに装着可能な外側のコイル様の部材であって、前記円筒状のコアをその実質的長さに沿って前記コイル様の部材内に受け入れることができ、前記コアが該コアの装着位置にて前記コイル様の部材に固定され且つ前記外側のコイル様の部材が前記骨装着構造体の少なくとも１つに締結されたとき、前記軸線に沿った方向に且つ捩り可能の双方にて前記円筒状のコアと摺動係合する、外側のコイル様の部材と
を備え、
ｃ）前記外側のコイル様の部材は、前記骨装着構造体の少なくとも一つに締結されるだけであり、前記外側のコイル様の部材は、前記内側のコアに対して摺動可能なままである、接続部材。
【請求項３９】
長手方向の接続部材と協働する少なくとも２つの骨装着構造体を有する医療インプラント組立体の前記長手方向の接続部材であって、
ａ）軸線と、別個の装着位置とを有する内側の円筒状のコアと、
ｂ）前記装着位置にて前記円筒状のコアに装着可能な外側のコイル様の部材であって、前記円筒状のコアをその実質的長さに沿って前記コイル様の部材内に受け入れることができ、前記コアが該コアの装着位置にて前記コイル様の部材に固定され且つ前記外側のコイル様の部材が前記骨装着構造体の少なくとも１つに締結されたとき、前記軸線に沿った方向に且つ捩り可能の双方にて前記円筒状のコアと摺動係合する、外側のコイル様の部材と、
ｃ）前記骨装着構造体の前記少なくとも一つと係合する外面を有する閉鎖構造体であって、前記骨装着構造体と協働して前記外側のコイル様の部材のみを前記骨装着構造体に締結し、前記外側のコイル様の部材は前記内側のコアに対して摺動可能なままである、閉鎖構造体と、
を有する、接続部材。
【請求項４０】
長手方向の接続部材と協働する少なくとも２つの骨装着構造体を有する医療インプラント組立体の前記長手方向の接続部材であって、
ａ）軸線と、別個の装着位置とを有する内側の円筒状のコアと、
ｂ）前記装着位置にて前記円筒状のコアに装着可能な外側のコイル様の部材であって、前記円筒状のコアをその実質的長さに沿って前記コイル様の部材内に受け入れることができ、前記コアが該コアの装着位置にて前記コイル様の部材に固定され且つ前記外側のコイル様の部材が前記骨装着構造体の少なくとも１つに締結されたとき、前記軸線に沿った方向に且つ捩り可能の双方にて前記円筒状のコアと摺動係合する、外側のコイル様の部材と、
ｃ）骨装着構造体の少なくとも１つ内に配設された第一及び第二の圧縮部材であって、  前記圧縮部材の各々は、外側部材と摩擦係合する寸法及び形状とされた内面を有し、前記第一及び第二の圧縮部材は、協働して外側部材のみを骨装着構造体に締結し、内側のコアは前記外側部材に対して摺動可能なままであり、
ｄ）前記第二の圧縮部材は前記骨装着構造体と係合する外面を有する閉鎖構造体であり、前記第二の圧縮部材と前記骨装着構造体は協働して前記骨装着構造体に前記外側のコイル様の部材のみを締結し、外側のコイル様の部材は前記内側のコアに対して摺動可能なままである、接続部材。
【請求項４１】
請求項３０〜４０のいずれか１項に記載の接続部材において、前記接続部材の前記コアは弾性的に引っ張り可能で且つ圧縮可能である、接続部材。
【請求項４２】
多軸骨ねじであって、骨の中に埋め込むための軸部と、前記軸部の上側部分を作動可能に受け入れるキャビティを有する受け部であって接続部材を受け入れるようになっている通路を間に形成して上方に延びるアームを有する受け部と、前記骨ねじが完全に組み立てられたときに前記接続部材の上方に作動可能に位置づけられる上側圧縮インサートと、前記受け部の前記アームの間の前記通路を閉鎖する閉鎖体とを有し、
前記上側圧縮インサートは前記接続部材を受け入れ且つ前記接続部材と穴及び突出するピンの一方とを係合させるような形状にされている下面を含み、
前記閉鎖体は、外側のリングと該外側のリングにねじ込まれて受け入れられる内側のリングを含み、
前記閉鎖体の前記内側のリングは、前記穴及び突出するピンの他方を有しており、
前記穴は、前記閉鎖体が前記受け部内に受け入れられ且つ前記上側圧縮インサートに向かって前進されたときに前記ピンを摺動するように受け入れる寸法及び形状にされており、
前記閉鎖体は、前記上側圧縮インサートと係合して下方へ押圧し、前記接続部材と摩擦係合する最終的な向きを有している、多軸骨ねじ。
【請求項４３】
請求項４２に記載のねじであって、
前記閉鎖体の前記外側のリングは下側の傾斜した面を有し、前記ピンは前記上側圧縮インサート上に配置される、ねじ。
【請求項４４】
請求項４３に記載のねじであって、
前記ねじの完全な組立ての後にz連機軸部と前記接続部材との間に少なくとも部分的にあるように前記受け部内に作動可能に配置される下側圧縮インサートを含み、
前記下側圧縮インサートは、前記閉鎖体が前記受け部内に前進するときに前記閉鎖体の前記外側のリングと係合するように上方へ延びる直立する側面を有し、これにより前記下側圧縮インサートは前記軸部に対して下向きの力をかけて、ロック携帯に受部に対して固定された位置に前記軸部をロックし、前記上側圧縮インサートが前記下側圧縮インサートの前記側面の間で上下方向に摺動するように受け入れられる、ねじ。
【請求項４５】
医療インプラント骨ねじであって、
ａ）下側端部において骨に埋め込まれるようになっており且つ上側端部を有する軸部と、  
ｂ）前記軸部の上側端部に配置される受け部構造体であって、間に接続部材を受け入れるようになっている通路を形成する一対の直立アームを有する、受け部と、
ｃ）前記接続部材と係合するように、前記受け部内に配置される、前記接続部材の上方の圧縮部材と、
ｄ）外側のリングと内側のリングとを有する閉鎖体と
を含み、
前記外側のリングが、前記受け部の前記直立アームの内側とねじ固定可能であり、前記閉鎖体の内側のリングが、前記外側のリングの穴にねじ係合可能に受け入れられ、前記圧縮部材と協働して前進したときに、前記受け部に対して一定の位置で前記接続部材をロックするように前記接続部材に下向きの力をかけるように構成されている医療インプラント骨ねじ。
【請求項４６】
多軸骨ねじであって、骨に埋め込まれる軸部と、前記軸部の上側部分を作動可能に受け入れるキャビティを有し且つ接続部材を受け入れるようになっている通路を間に形成する上方に延びるアームとをする受け部と、前記軸部の上側端部の上方に作動可能に位置付けられ且つ前記軸部の上側端部に直接接触する圧縮インサートと、前記受け部のアームの間の前記通路を閉鎖する閉鎖体とを含み、
前記閉鎖体は、外側のリングと内側のリングとを含み、
前記閉鎖体の前記外側のリングは、前記通路に対して下方に向かって前進したときに、前記受け部に対する前記軸部の位置をロックするために、前記軸部の前記上側部分に直接下向きの力をかけるように前記圧縮インサートに下向きの力を直接かけ、
前記閉鎖体の前記内側のリングは、前記通路に対して下方に向かって前進したときに、前記受け部に対する前記接続部材の前記位置をロックするために、前記接続部材に下向きの力を伝達するようになっている、多軸骨ねじ。
【請求項４７】
請求項４６に記載の骨ねじであって、前記圧縮インサートは第１の圧縮インサートであり、前記骨ねじは更に、
ａ）前記閉鎖体と前記第１の圧縮インサートの上方との間に作動可能に配置される第２の圧縮インサート
を含み、前記閉鎖体の前記内側のリングは前記第２の圧縮インサートに下向きの力をかけ、次に前記第２の圧縮インサートは前記接続部材に直接下向きの力をかけて、前記受け部に対して前記接続部材の位置をロックするようになっている、骨ねじ。
【請求項４８】
医療インプラント組立体であって、
ａ）外側の締結具及び内側の締結具を含む閉鎖体を含み、
ｂ）前記外側の締結具は、第１の外側の案内及び前進構造体を有する第１の外側表面を有する基部と、内側の案内及び前進構造体を有する内側の穴と、前記第１の外側表面と前記内側の穴とを接続する底面とを有し、
ｃ）前記内側の締結具は前記内側の穴の中に配置され、また、第２の外側の案内及び前進構造体を有する第２の外側表面を含み、前記第２の外側の案内及び前進構造体は前記内側の案内及び前進構造体と回転可能に合わさるような寸法及び形状にされており、また、中央に配置された下側貫通穴が配置された下側表面部分を有し、
ｄ）前記下側貫通穴は、圧縮インサートを一定の位置に横方向に保持する間に前記閉鎖体が回転できるように前記閉鎖体の下方に配置される圧縮インサート上に配置される上方に向けて突出するピンを摺動可能に受け入れるような寸法及び形状にされている、医療インプラント組立体。
【請求項４９】
請求項４８に記載の医療インプラント組立体であって、
前記ピンは、前記内側の締結具の下側の表面部分の内面と摺動可能に摩擦係合するようになっている、可逆に変形可能な、一対のフランジ付きのアームを含む、医療インプラント組立体。
【請求項５０】
請求項４８または４９に記載の医療インプラント組立体であって、
前記底面は傾斜しており、外側に向かって上方に斜めになっている、医療インプラント組立体。
【請求項５１】
請求項４８〜５０のいずれか１項に記載の医療インプラント組立体であって、
上側の圧縮構造体を更に含み、該上側の圧縮構造体は、
ａ）前記内側の締結具の下側貫通穴と係合するような寸法及び形状とされているピンである、上方に向かって延びる係合ピンと、
ｂ）前記接合部材と係合して該接合部材を部分的に取り囲むようになっている、下側のＵ字形の表面により接続される、下方に延びる一対の脚部と
を含む、医療インプラント組立体。
【請求項５２】
請求項５１に記載の医療インプラント組立体において、
前記上側の圧縮構造体は、穴ねじ受け部内に受け入れられるようになっている、医療インプラント。
【請求項５３】
請求項５１または５２に記載の医療インプラント組立体において、
前記上側の圧縮構造体は実質的に平面状の上面を有し、前記係合ピンは前記上面の中央部分で接続される基部を有する、医療インプラント組立体。
【請求項５４】
請求項５３に記載の医療インプラント組立体において、
前記上面は前記内側の締結具の前記下側表面部分と係合するようになっている、医療インプラント組立体。
【請求項５５】
請求項５１〜５４のいずれか１項に記載の医療インプラント組立体において、
前記係合ピンは可逆に変形可能な、一対のフランジ付きアームを含む、医療インプラント組立体。
【請求項５６】
請求項５１〜５５のいずれか１項に記載の医療インプラント組立体において、
前記Ｕ字形の表面は、実質的に圧縮されていない長手方向の接続部材組立体に適合するようになっている、医療インプラント組立体。
【請求項５７】
請求項５１〜５６のいずれか１項に記載の医療インプラント組立体において、
更に下側の圧縮インサートを含む、医療インプラント組立体。
【請求項５８】
請求項５７に記載の医療インプラント組立体において、
組立の間、前記上側の圧縮構造体は前記内面から下に向かう力を受け、前記下側の圧縮インサートは前記外側の締結具から下向きの力を受ける、医療インプラント組立体。
【請求項５９】
請求項５７または５８に記載の医療インプラント組立体において、
前記下側の圧縮インサートは、
ａ）前記外側の締結具と係合するように位置付けられる一対の直立アームと、
ｂ）前記アームの間に配置され、前記接続部材を受け入れるような寸法及び形状にされている、上側のＵ字形通路と
を備える、医療インプラント組立体。
【請求項６０】
請求項５９に記載の医療インプラント組立体において、
前記直立アームは、前記上側の圧縮構造体の少なくとも一部と合わさり該上側の圧縮構造体の少なくとも一部を該アームの間に受け入れるように配置されている、医療インプラント組立体。
【請求項６１】
請求項５９または６０に記載の医療インプラント組立体において、
前記外側の締結具は下側の傾斜した面を有し、
前記外側の締結具からの下向きの力を受けるように、前記アームの各々は、前記外側の締結具のの傾斜した面と協働するように摩擦係合するようにされている傾斜面を有するフランジ付き部分を含む、医療インプラント組立体。
【請求項６２】
請求項５７〜６１のいずれか１項に記載の医療インプラント組立体において、
前記下側の圧縮構造体がさらに、骨ねじの軸部と係合するようになっている、湾曲して部分的に球形である下側の係合面を含む、医療インプラント組立体。
【請求項６３】
請求項５７〜６２のいずれか１項に記載の医療インプラント組立体において、
該組立体が完全に組み立てられたときに、前記上側の圧縮構造体及び下側の圧縮構造体の間に前記長手方向の接続部材が配置される、医療インプラント組立体。
【請求項６４】
医療インプラント組立体であって、
ａ）第１の外側の案内及び前進構造体を有する第１の外側表面と、前記第１の外側表面と前記内側の穴とを接続する底部の傾斜面とを有する外側の締結具と、
ｂ）前記内側の穴の中に配置される内側の締結具であって、第２の外側の案内及び前進構造体を有する第２の外側表面を含み、前記第２の外側の案内及び前進構造体は前記内側の案内及び前進構造体と回転可能に合わさるような寸法及び形状にされており、また、中央に配置された下側貫通穴が配置された下側表面部分を有する、内側の締結具と、
ｃ）前記内側の締結具の下側貫通穴と係合可能な寸法及び形状にされた、上方に向けて延びるピンと、下側のＵ字形の表面により接続された一対の下方に向かって延びる部分とを有する上側の圧縮構造体と、
ｄ）前記上側の圧縮構造体を間に受け入れるようになっている一対の直立アームを有する下側の圧縮構造体と
を備え、
前記直立アームのそれぞれは、前記外側の締結具から下向きの力を受けるために前記外側の締結具の傾斜した下面と協働可能に摩擦係合するようになっている傾斜面を有する時上側端部を有しており、Ｕ字形の上側通路が前記アームの間に配置されていて、前記上側の圧縮構造体を受け入れるようになっている、医療インプラント組立体。
【請求項６５】
請求項６４に記載の医療インプラント組立体において、
前記上側及び下側の圧縮構造体及び締結具を受け入れるようになっているＵ字形の通路を有する受け部を備える多軸骨ねじを更に含む、医療インプラント組立体。
【請求項６６】
請求項６４または６５に記載の医療インプラント組立体において、
前記下側の圧縮構造体は、前記外側の締結具から下向きの力を受けたときに前記受け部に対して前記多軸骨ねじの軸部をロックするように構成されている、医療インプラント組立体。
【請求項６７】
請求項６４〜６６のいずれか１項に記載の医療インプラント組立体において、
前記上側及び下側の圧縮構造体の間に配置されるように前記骨ねじのＵ字形の通路内に受け入れられるようになっている長手方向の接続部材を更に含む、医療インプラント組立体。
【請求項６８】
骨ねじ組立体であって、
受け部内にロックされた形態で多軸的に受け入れられる軸部と、下側の圧縮インサートと、上側の圧縮インサートと、閉鎖体とを有し、
前記受け部は、前記組立体が完全に組み立てられたときに前記上側の圧縮インサートと前記下側の圧縮インサートと接続部材の上方及び下方にそれぞれ配置された状態で、前記接続部材を受け入れる寸法及び形状にされた通路を有しており、
前記上側圧縮インサートは、前記下側圧縮インサート内に上下方向に摺動可能に受け入れられる、骨ねじ組立体。
【請求項６９】
請求項６８に記載の骨ねじ組立体において、
前記閉鎖体は、内側のリングと外側のリングとを有し、
前記内側のリングは、前記上側の圧縮インサートと作動可能に係合し、前記上側の圧縮インサートに圧力をかけ、前記外側リングは、前記上側の圧縮インサートと作動可能に係合し、前記上側の圧縮インサートにロック形態で圧力をかける、骨ねじ組立体。